(57)【要約】【課題】連帳紙給紙と手差し給紙を行なう印刷装置において、操作が簡単でかつ装置の小型化に寄与し、更にフロントシートガイドを別途準備する必要のないこと。【解決手段】印刷部に対して単票を手差しにて給紙する手差し給紙と、連帳紙をトラクタにて給紙する連帳紙給紙を行なう印刷装置において、装置前面に設けたフロントカバー全体４を第１の開状態と第２の開状態になるように設け、前記フロントカバー全体４が第１の開状態で、前記フロントカバー全体４が前記トラクタ１６を覆うことにより、前記フロントカバー全体４が手差し給紙用のシートガイドとなること。【選択図】    図1
2010143105.tif 000002
【特許請求の範囲】
【請求項１】
印刷部に対して単票を手差しにて給紙する手差し給紙と、連帳紙をトラクタにて給紙する連帳紙給紙を行なう印刷装置において、
装置前面に設けたフロントカバーを第１の開状態と第２の開状態になるように設け、
前記フロントカバーが第１の開状態で、前記フロントカバーが前記トラクタを覆うことにより、前記フロントカバーが手差し給紙用のシートガイドとなり、
前記フロントカバーが第２の開状態で連帳紙給紙可能とすることを特徴とする印刷装置。
【請求項２】
前記フロントカバーは、装置本体に設けた上部回転軸と、下部回転軸を中心に回転可能とし、
前記下部回転軸を中心に開放することにより前記第１の開状態とし、前記上部回転軸を中心に開放することにより前記第２の開状態とすることを特徴とする請求項１記載の印刷装置。
【請求項３】
前記フロントカバーは、外側フロントカバーと、内側フロントカバーからなり、
両者は、端部に設けた軸を中心に回動可能とし、前記内側フロントカバーが前記外側フロントカバーから広がることにより前記第１の開状態となることを特徴とする請求項２記載の印刷装置。
【請求項４】
前記フロントカバーは外側フロントカバーと、内側フロントカバーからなり、
両者は、スライド構造を有して伸縮可能とし、前記内側フロントカバーが前記外側フロントカバーから延伸することにより前記第１の開状態となることを特徴とする請求項２記載の印刷装置。
【発明の詳細な説明】
【技術分野】
【０００１】
本発明は印刷装置に関するものである。
【背景技術】
【０００２】
従来、ワイヤドットインパクトプリンタは連帳紙と単票への印刷が可能であり、単票の場合は、手差しによる給紙も可能である。実開平５−６８６５７号公報（特許文献１）によれば、手差し給紙による印刷時に、騒音を防止する技術が開示されている。一方、手差し給紙のために添付品としてのフロントシートガイドを設ける方法も考慮されている。
【特許文献１】実開平５−６８６５７号公報
【発明の開示】
【発明が解決しようとする課題】
【０００３】
しかしながら、特許文献１によれば、印字用紙搬送部としてフィードローラを有し、筐体前面にはアッパカバーに連続するテーブルを有する。そして、手差し給紙のために当該テーブルに単票をセットする。そのため、当該テーブルを設ける必要があり、このような構成の印刷装置では装置が大型化するという問題があった。
【０００４】
一方、添付品としてのフロントシートガイドを使用する方法では、連帳紙給紙のときは、フロントシートガイドを外して、フロントトラクタを装着し、更に、手差し給紙のときは、フロントトラクタを外して、フロントシートガイドを装着しなければならず、操作が煩雑である。また、手差し給紙を行なわないときは、フロントシートガイドを別の場所に準備しておくスペースが必要であるという問題があった。
【０００５】
本発明が解決しようとする課題は、連帳紙給紙と手差し給紙を行なう印刷装置において、操作が簡単でかつ装置の小型化に寄与し、更にフロントシートガイドを別途準備する必要のない印刷装置を提供することである。
【課題を解決するための手段】
【０００６】
上記課題を解決するために本発明は、印刷部に対して単票を手差しにて給紙する手差し給紙と、連帳紙をトラクタにて給紙する連帳紙給紙を行なう印刷装置において、装置前面に設けたフロントカバーを第１の開状態と第２の開状態になるように設け、前記フロントカバーが第１の開状態で、前記フロントカバーが前記トラクタを覆うことにより、前記フロントカバーが手差し給紙用のシートガイドとなり、前記フロントカバーが第２の開状態で連帳紙給紙可能とすることを特徴とする印刷装置である。
【発明の効果】
【０００７】
本発明によれば、連帳紙給紙と手差し給紙を行なう印刷装置において、操作が簡単でかつ装置の小型化に寄与し、更にフロントシートガイドを別途準備する必要のない印刷装置を提供することができる。
【発明を実施するための最良の形態】
【０００８】
（第１の実施の形態）
以下、第１の実施の形態を図面に従って説明する。図２は第１の実施の形態に関するプリンタ１の外観図である。プリンタ１はワイヤドットインパクトプリンタであり、アッパカバー１１の内部に、印刷機構であるプラテン１２と印字ヘッド１３等を有する。これらの印字機構は図示しない印刷制御部の制御によって印刷動作を行なう。印刷制御部に対する各種の設定は操作パネル１４を操作することによって行なうことができる。プリンタ１の前面にはアッパカバー１１の一部にフロントカバー４が設けられる。同図は、フロントカバー４の閉状態を示している。
【０００９】
図１はフロントカバー４を開いた状態を示すプリンタ１の一部省略斜視図である。フロントカバー４は、前記プリンタ１の前面でかつ前記操作パネル１４の下部に、開閉可能に設けられる。フロントカバー４は、後述するように、内側フロントカバー５と外側フロントカバー６からなる（以後両者を総称するときはフロントカバー全体４という）。図示に示すように、フロントカバー全体４は第１の開状態としての開状態において、手差し給紙を行なうことができる。フロントカバー全体４は、外側フロントカバー６を図示矢印Ａ方向に開くことにより第１の開状態となる。
【００１０】
図３は同じくフロントカバー全体４を開いた状態を示すプリンタ１の一部省略左側面図である。前述の通り、外側フロントカバー６を図示矢印Ａ方向に開くことにより、フロントカバー全体４の第１の開状態となる。後述するように外側フロントカバー６の下端には内側フロントカバー回転軸ｃが設けられる。一方内側フロントカバー５の下端には軸受握部５５が設けられる。軸受握部５５は内側フロントカバー回転軸ｃと結合し、内側フロントカバー５と外側フロントカバー６は内側フロントカバー回転軸ｃを中心に回動可能となる。内側フロントカバー５は後述するフロントカバー回転軸ｂを中心に図示矢印Ｂ方向に回転する。こうしてフロントカバー全体４の第１の開状態においては、内側フロントカバー５と外側フロントカバー６が直線を維持することになる。一方、フロントカバー全体４の閉状態のおいては、内側フロントカバー５と外側フロントカバー６は、後述するフロントカバー回転軸ａ及びｂに固定されることにより、内側フロントカバー５が外側フロントカバー６に収納される。
【００１１】
図４はフロントカバー回転軸ａ及びｂの説明図である。フロントカバー回転軸ａ及びｂはプリンタ１のアッパカバー１１の内側の左右両端に設けられる。フロントカバー回転軸ａは上部に設けられ、フロントカバー全体４の閉状態を維持するとともに、後述するようにフロントカバー全体４の第２の開状態の回転中心となる。一方、フロントカバー回転軸ｂは前記フロントカバー回転軸ａより下部に、かつ奥行ｄだけ奥に位置して設けられる。フロントカバー回転軸ｂは、フロントカバー全体４の第１の開状態において、内側フロントカバー５の回転中心となる。
【００１２】
図５はフロントカバー全体４の一部省略側面図である。前述のように、フロントカバー全体４は内側フロントカバー５と外側フロントカバー６からなる。同図はフロントカバー全体４の閉状態を示す。フロントカバー全体４の閉状態においては、内側フロントカバー５は外側フロントカバー６の内部に収納される。外側フロントカバー６の側壁６４の軸受凹部６５はフロントカバー回転軸ａと結合する。また、前記側壁６４の軸受凹部６６はフロントカバー回転軸ｂと結合する。更に、外側フロントカバー６の下部に設けた内側フロントカバー回転軸ｃは内側フロントカバー５の下部に設けた軸受握部５５と結合する。なお、６３はフロントカバー全体４の閉状態から第１の開状態に移行するときに使用する取手である。また、同図には後述するカーソル８、用紙ガイド９、用紙ガイドバネ９１は図示を省略してある。
【００１３】
図６は内側フロントカバー５の斜視図である。同図(ａ)は内側フロントカバー５の表面５１方向から見た斜視図であり、同図 (ｂ)
は内側フロントカバー５の裏面５２方向から見た斜視図である。更に、図７は内側フロントカバー５の側面図である。図６及び図７において、表面５１は第１の開状態において、手差し給紙の単票を通過させる面となる。
【００１４】
内側フロントカバー５は略長方形をなし、その両端には側壁５６が設けられる。両端の側壁５６の表面５１側には前記フロントカバー回転軸ａと結合する軸受凹部５３が設けられる。更に、両端の側壁５６の裏面５２側には前記フロントカバー回転軸ｂと結合する軸受凹部５４が設けられる。更に内側フロントカバー５の下端の左右両端には、外側フロントカバー６に設けられる内側フロントカバー回転軸ｃと結合する軸受握部５５が設けられる。
【００１５】
図８は外側フロントカバー６の斜視図である。同図(ａ)は外側フロントカバー６の表面６１方向から見た斜視図であり、同図 (ｂ)
は外側フロントカバー６の裏面６２方向から見た斜視図である。更に、図９は外側フロントカバー６の平面図である。図８及び図９において、表面６１はフロントカバー全体４の閉状態において、プリンタ１の外側となる。一方、裏面６２は第１の開状態において、手差し給紙の単票を通過させる面となる。後述するように、フロントカバー全体４が第１の開状態になると、外側フロントカバー６の裏面６２と、前記内側フロントカバー５の表面５１とは連続して形成され、手差し給紙用のシートガイドの面となる。６７は前記内側フロントカバー５の表面５１の引っ掛かりを軽減するための傾斜部である。
【００１６】
外側フロントカバー６は略長方形をなし、その両端には側壁６４が設けられる。両端の側壁６４の裏面６２側には、前記フロントカバー回転軸ａと結合する軸受凹部６５と、前記フロントカバー回転軸ｂと結合する軸受凹部６６が設けられる。更に外側フロントカバー６の下端の左右両端には、前記内側フロントカバー５に設けられる軸受握部５５と結合する内側フロントカバー回転軸ｃが設けられる。
【００１７】
更に、外側フロントカバー６の裏面６２側には、手差し給紙の単票をガイドする用紙ガイド９と用紙ガイド９を移動させるカーソル８を有する。用紙ガイド９は単票の両端をガイドするため略垂直に設けられる。しかしながら、図５に示すように、フロントカバー全体４が閉状態のとき、外側フロントカバー６の裏面６２は内側フロントカバー５の表面５１と向き合う結果、用紙ガイド９は内側フロントカバー５の表面５１に押され、内側に倒れる構造である。そして、第１の開状態のとき、用紙ガイドバネ９１により略垂直に復帰するが、閉状態のとき倒れ易いように内側に傾斜している。
【００１８】
また、カーソル８は単票の幅方向、即ち、単票の搬送方向に垂直の方向に溝８２に沿って移動可能である。カーソル８は、前記用紙ガイド９及び用紙ガイドバネ９１とともに移動する。図１０はカーソル８の構造を示す説明図である。溝８２は外側フロントカバー６の裏面６２の長手方向に設けられる。
【００１９】
次に、第１の実施の形態に関する手差し給紙及び連帳紙給紙の操作方法について説明する。図１１は手差し給紙及び連帳紙給紙の用紙ルートを示す説明図である。同図は前記アッパカバー１１を省略してプリンタ１の内部を示す。なお、１５はプリンタ１のロワーカバーである。トラクタ１６は連帳紙の両端に設けられる送り孔を駆動して、トラクタ連帳紙ルート１８に沿って連帳紙を搬送する。
【００２０】
一方、前述のように外側フロントカバー６の裏面６２と、これに連続する内側フロントカバー５の表面５１とによって、手差し給紙用のシートガイドが形成される。手差し給紙用のシートガイドに供給された単票は操作者によって手差し用紙ルート１７に沿って、所定の位置まで送られる。その後、トラクタ連帳紙ルート１８と手差し用紙ルート１７は合流し、連帳紙又は単票はプラテン１２に巻き付き、印字ヘッド１３によって印字が行なわれる。なお、手差し給紙のときは、トラクタ１６は機能しないので、内側フロントカバー５によって、トラクタ１６を覆う必要がある。一方、連帳紙給紙のときは、フロントカバー全体４は必要ないので、後述するようにフロントカバー全体４は第２の開状態の位置に置かれる。
【００２１】
図１２〜図１４は手差し給紙の操作を示す説明図である。各図（ａ）はプリンタ１の一部省略外観図を示し、各図（ｂ）はプリンタ１の一部省略左側面図を示す。手差し給紙を行なう場合、操作者は外側フロントカバー６の取手６３を手前に引き、外側フロントカバー６を矢印Ａ方向に倒す。そうすると、外側フロントカバー６の軸受凹部６５はフロントカバー回転軸ａから外れ、外側フロントカバー６は内側フロントカバー５の軸受握部５５を中心に矢印Ａ方向に回転する（図１２）。
【００２２】
次に、操作者は内側フロントカバー５の上部を奥側に押し、内側フロントカバー５を矢印Ｂ方向に倒す。そうすると、内側フロントカバー５の軸受凹部５３はフロントカバー回転軸ａから外れ、内側フロントカバー５はフロントカバー回転軸ｂを中心に矢印Ｂ方向に回転する（図１３）。
【００２３】
そうすると、内側フロントカバー５と外側フロントカバー６は直線状となり、かつ内側フロントカバー５がトラクタ１６を覆うことになり、内側フロントカバー５と外側フロントカバー６により、手差し給紙用のシートガイドが形成される（図１４）。
【００２４】
一方、図１５は連帳紙給紙の操作を示す説明図である。連帳紙給紙の場合、操作者は、図２に示す外観図の状態において、フロントカバー全体４の下端を手前に引き上げる。内側フロントカバー５の軸受凹部５４と、外側フロントカバー６の軸受凹部６６をフロントカバー回転軸ｂから外す。これにより、フロントカバー全体４は、前記フロントカバー回転軸ａを中心に矢印Ｃ方向に回動し、第２の開状態となる。操作者は連帳紙をトラクタ１６に結合させ、トラクタ連帳紙ルート１８により連帳紙給紙を行なうことができる。なお、フロントカバー全体４が第２の開状態を維持するのは、外側フロントカバー６の両側の側壁６４の外側に図示しない突起部を設け、プリンタ１のアッパカバー１１に、この突起部に対応する凹部を設けることにより、両者をロックさせることにより行なうことができる。
【００２５】
以上説明したように、第１の実施の形態によれば、連帳紙給紙と手差し給紙を行なうプリンタ１において、フロントカバー全体４を内側フロントカバー５と外側フロントカバー６から構成し、プリンタ１の本体に上下２つのフロントカバー回転軸ａ及びｂを設け、第１の開状態と第２の開状態を形成することにより、操作としては、フロントカバーの取手６３を手前に引けば手差し用のシートガイドとなるので操作が簡単である。更に、手差し用のシートガイドを設けなくてよく、装置の小型化に寄与する。また、フロントシートガイドを別途準備する必要のない印刷装置を提供することができる。
【００２６】
（第２の実施の形態）
以下、第２の実施の形態を図面に従って説明する。第２の実施の形態の説明は、前記第１の実施の形態と同一の構成要素は同一の符号にて示す。図１６は第２の実施の形態に関するフロントカバー全体４の斜視図である。フロントカバー全体４は第１の実施例と同様に内側フロントカバー５と外側フロントカバー６からなる。第２の実施の形態においては、後述するように、内側フロントカバー５が外側フロントカバー６からスライド可能に延伸する構成となっている。
【００２７】
図１６(ａ)は外側フロントカバー６の表面６１方向から見た斜視図であり、同図 (ｂ)
は外側フロントカバー６の裏面６２方向から見た斜視図である。同図において、表面６１はフロントカバー全体４の閉状態において、プリンタ１の外側となる。一方、裏面６２は第１の開状態において、手差し給紙の単票を通過させる面となる。内側フロントカバー５がスライドした結果、外側フロントカバー６の裏面６２と、前記内側フロントカバー５の表面５１とは連続して形成され、フロントカバー全体４が第１の開状態となり、手差し給紙用のシートガイドとなる。
【００２８】
フロントカバー全体４は略長方形をなし、その両端には外側フロントカバー６の側壁６４が設けられる。両端の側壁６４の裏面６２側には、前記フロントカバー回転軸ａと結合する軸受凹部６５と、前記フロントカバー回転軸ｂと結合する軸受凹部６６が設けられる。
【００２９】
更に、外側フロントカバー６の裏面６２には、手差し給紙方向に複数の溝６８が設けられ、内側フロントカバー５には図示しない突起部が設けられる。当該突起部が外側フロントカバー６の前記溝６８をスライドすることにより、内側フロントカバー５は矢印Ｄ方向にスライド可能となる。なお、同図においては、手差し給紙の単票をガイドする用紙ガイド９、用紙ガイド９を移動させるカーソル８及び用紙ガイドバネ９１は図示を省略する。
【００３０】
次に、第２の実施の形態に関する手差し給紙及び連帳紙給紙の操作方法について説明する。図１７及び図１８は手差し給紙の操作を示す説明図である。両図（ａ）はプリンタ１の一部省略外観図を示し、各図（ｂ）はプリンタ１の一部省略左側面図を示す。手差し給紙を行なう場合、操作者は外側フロントカバー６の取手６３を手前に引き、外側フロントカバー６を矢印Ａ方向に倒す。そうすると、外側フロントカバー６の軸受凹部６５はフロントカバー回転軸ａから外れ、外側フロントカバー６はフロントカバー回転軸ｂを中心に矢印Ａ方向に回転する（図１７）。
【００３１】
次に、操作者は内側フロントカバー５を奥側に押し、内側フロントカバー５を矢印Ｄ方向に前記溝６８に沿ってスライドさせる。そうすると、内側フロントカバー５と外側フロントカバー６は直線状となり、かつ、内側フロントカバー５がトラクタ１６を覆うことになり、フロントカバー全体４が第１の開状態となり、内側フロントカバー５と外側フロントカバー６により、手差し給紙用のシートガイドが形成される（図１８）。
【００３２】
一方、図１９は連帳紙給紙の操作を示す説明図である。連帳紙給紙の場合、操作者は、図２に示す外観図の状態において、フロントカバー全体４の下端を手前に引き上げる。外側フロントカバー６の軸受凹部６６をフロントカバー回転軸ｂから外す。これにより、フロントカバー全体４は、前記フロントカバー回転軸ａを中心に矢印Ｃ方向に回動し、第２の開状態となる。操作者は連帳紙をトラクタ１６に結合させ、トラクタ連帳紙ルート１８により連帳紙給紙を行なうことができる。なお、フロントカバー全体４が第２の開状態を維持するのは、第１の実施の形態と同様に、外側フロントカバー６の両側の側壁６４の外側に図示しない突起部を設け、プリンタ１のアッパカバー１１に、この突起部に対応する凹部を設けることにより、両者をロックさせることにより行なうことができる。
【００３３】
以上説明したように、第２の実施の形態によれば、フロントカバー全体４を内側フロントカバー５と外側フロントカバー６から構成し、プリンタ１の本体に上下２つのフロントカバー回転軸ａ及びｂを設け、第１の開状態において、内側フロントカバー５を外側フロントカバー６よりスライドさせることにより延伸させ、内側フロントカバー５がトラクタ１６を覆うことにより手差し用のシートガイドを形成することができるので、操作が簡単でかつ装置の小型化に寄与し、更にフロントシートガイドを別途準備する必要のない印刷装置を提供することができる。
【図面の簡単な説明】
【００３４】
【図１】フロントカバーを開いた状態を示すプリンタの一部省略斜視図である。
【図２】第１の実施の形態に関するプリンタの外観図である。
【図３】同じくフロントカバーを開いた状態を示すプリンタの一部省略左側面図である。
【図４】フロントカバー回転軸ａ及びｂの説明図である。
【図５】フロントカバー全体の一部省略側面図である。
【図６】内側フロントカバーの斜視図である。
【図７】内側フロントカバーの側面図である。
【図８】外側フロントカバーの斜視図である。
【図９】外側フロントカバーの平面図である。
【図１０】カーソルの構造を示す説明図である。
【図１１】手差し給紙及び連帳紙給紙の用紙ルートを示す説明図である。
【図１２】手差し給紙の操作を示す説明図である。
【図１３】手差し給紙の操作を示す説明図である。
【図１４】手差し給紙の操作を示す説明図である。
【図１５】連帳紙給紙の操作を示す説明図である。
【図１６】第２の実施の形態に関するフロントカバー全体の斜視図である。
【図１７】手差し給紙の操作を示す説明図である。
【図１８】手差し給紙の操作を示す説明図である。
【図１９】連帳紙給紙の操作を示す説明図である。
【符号の説明】
【００３５】
１          プリンタ
４          フロントカバー全体
５          内側フロントカバー
６          外側フロントカバー
８          カーソル
９          用紙ガイド
１１        アッパカバー
１６        トラクタ
１７        手差し用紙ルート
１８        トラクタ連帳紙ルート
５３、５４  軸受凹部
５５        軸受握部
６５、６６  軸受凹部
ａ、ｂ      フロントカバー回転軸
ｃ          内側フロントカバー回転軸
【図１】
2010143105.tif 000003
【図２】
2010143105.tif 000004
【図３】
2010143105.tif 000005
【図４】
2010143105.tif 000006
【図５】
2010143105.tif 000007
【図６】
2010143105.tif 000008
【図７】
2010143105.tif 000009
【図８】
2010143105.tif 000010
【図９】
2010143105.tif 000011
【図１０】
2010143105.tif 000012
【図１１】
2010143105.tif 000013
【図１２】
2010143105.tif 000014
【図１３】
2010143105.tif 000015
【図１４】
2010143105.tif 000016
【図１５】
2010143105.tif 000017
【図１６】
2010143105.tif 000018
【図１７】
2010143105.tif 000019
【図１８】
2010143105.tif 000020
【図１９】
2010143105.tif 000021